(57)【要約】【課題】鏡に電波時計を付設できるようにする。【解決手段】鏡裏面２ｂに電波時計３を付設したものであって、鏡裏面２ｂ側に反射層４の無い領域５を形成し、領域５に電波時計用アンテナ６を設けたこと。また、鏡２の反射層４を形成する金属膜４ａの一部を線状とし、この線状の部分を電波時計用アンテナ６としたこと。アンテナ６は、隙間Ｓを設けて平行に配置した複数本の平行線６ａと、隣接する平行線６ａ，６ａどうしを連結する連結線６ｂとからなり、複数本の平行線６ａを横長ジクザグ状に連続させて形成することもある。【効果】鏡２の表裏２ａ，２ｂのいずれからも電波を受信できるので、鏡２に電波時計３を付設できる。【選択図】図１
2005300443.tif 000002
【特許請求の範囲】
【請求項１】
鏡裏面に電波時計を付設したものであって、鏡裏面側に反射層の無い領域を形成し、該領域に電波時計用アンテナを設けたことを特徴とする電波時計付き鏡。
【請求項２】
鏡裏面に電波時計を付設したものであって、鏡の反射層を形成する金属膜の一部を線状とし、この線状の部分を電波時計用アンテナとしたことを特徴とする電波時計付き鏡。
【請求項３】
前記アンテナは、隙間を設けて平行に配置した複数本の平行線と、隣接する平行線どうしを連結する連結線とからなり、複数本の平行線を連続させた請求項１又は２記載の電波時計付き鏡。
【請求項４】
前記アンテナを設けた領域に前記電波時計を配置し、鏡表側から複数の前記隙間を介して前記電波時計の時刻表示部を目視できるようにした請求項３記載の電波時計付き鏡。
【請求項５】
前記アンテナを設けた領域に表示具を配置し、鏡表側から複数の前記隙間を介して表示具の表示部を目視できるようにした請求項３記載の電波時計付き鏡。
【発明の詳細な説明】
【技術分野】
【０００１】
本発明は、電波時計付き鏡に関するものである。
【背景技術】
【０００２】
時計付き鏡には、鏡表面から時計を透視できるように、鏡の反射層を除いた鏡裏面箇所に時計を設けたものがある。
【特許文献１】特開２００３−７０６５９公報
【発明の開示】
【発明が解決しようとする課題】
【０００３】
ところで、時計には、標準時間信号を送信する搬送電波を受信して正確な時刻表示ができる電波時計がある。この電波時計を鏡に付設することが考えられるが、鏡の反射層を形成する金属膜が電波を遮断するため、電波時計が電波を受信できないことがあり、鏡に電波時計を付設することは困難である。殊に、前記搬送電波に長波領域の周波数（例えば、４０ＫＨｚ）が割り当てられているため、長い寸法のアンテナが必要となり、尚更に困難であった。
【０００４】
そこで、本発明は、上記問題を解決するために、鏡にアンテナを備えた電波時計付き鏡を提供するものである。
【課題を解決するための手段】
【０００５】
鏡に電波時計を付設できるようにするために請求項１記載の本発明が採用した手段は、鏡裏面に電波時計を付設したものであって、鏡裏面側に反射層の無い領域を形成し、該領域に電波時計用アンテナを設けたことを特徴とする電波時計付き鏡である。該領域に、アンテナを配線した基板を重ね合わせて、アンテナを設けることもある。
本発明にあっては、アンテナを設けた領域に反射層がないため、鏡の表裏のいずれからも電波を受信できる。
【０００６】
鏡にアンテナを備えるために請求項２記載の本発明が採用した手段は、鏡裏面に電波時計を付設したものであって、鏡の反射層を形成する金属膜の一部を線状とし、この線状の部分を電波時計用アンテナとしたことを特徴とする電波時計付き鏡である。この金属膜としては銀膜やアルミニウム膜等がある。
本発明にあっては、金属膜の一部がアンテナ線となっているため、鏡の表裏のいずれからも電波を受信できる。
【０００７】
長波領域の電波を受信できるようにするために請求項３記載の本発明が採用した手段は、前記アンテナは、隙間を設けて平行に配置した複数本の平行線と、隣接する平行線どうしを連結する連結線とからなり、複数本の平行線を連続させた請求項１又は２記載の電波時計付き鏡である。
本発明にあっては、隣接する平行線の間隔及び線の太さを細かくすることで、アンテナ線を長くすることができる。
【０００８】
アンテナを設けた領域を有効活用するために請求項４記載の本発明が採用した手段は、前記アンテナを設けた領域に前記電波時計を配置し、鏡表側から複数の前記隙間を介して前記電波時計の時刻表示部を目視できるようにした請求項３記載の電波時計付き鏡である。
本発明にあっては、鏡表側からアンテナの複数の隙間を介して時刻表示部を見ることができる。
【０００９】
アンテナを設けた領域を有効活用するために請求項５記載の本発明が採用した手段は、前記アンテナを設けた領域に表示具を配置し、鏡表側から複数の前記隙間を介して表示具の表示部を目視できるようにした請求項３記載の電波時計付き鏡である。表示具には、温度計又は湿度計等がある。
本発明にあっては、鏡表側からアンテナの複数の隙間を介して表示部を見ることができる。
【発明の効果】
【００１０】
請求項１及び２記載の本発明は、鏡の表裏のいずれからも電波を受信できるので、鏡に電波時計を付設できる。
請求項３記載の本発明は、アンテナを長くすることで、長波領域の電波を受信できるようになる。
請求項４及び５記載の本発明は、鏡表側からアンテナの複数の隙間を介して表示部を見ることができるので、アンテナを設けた領域を有効活用できる。
【発明を実施するための最良の形態】
【００１１】
本発明に係る電波時計付き鏡（以下、「本発明鏡」と言う。）を図面に示す実施形態に基づいて説明する。
【００１２】
図１乃至図４は本発明鏡の実施の形態を示すものであり、図１（Ａ）は正面図、同図（Ｂ）は右側面図、図２（Ａ）は一部破断した背面図、同図（Ｂ）はアンテナ６の部分拡大図、図３（Ａ）は図１のイーイ線で断面して拡大した右側面図、同図（Ｂ）はアンテナ６を配線した基板９及び電波時計３を鏡２から分離した状態を示す拡大した右側面図、図４はアンテナ６の別態様に係るものであって図１のイーイ線で断面して拡大した右側面図である。
【００１３】
本実施の形態に係る本発明鏡１は、鏡２の裏面２ｂ側に電波時計３を付設したものであり、鏡裏面２ｂ側に反射層４の無い領域５を長方形、丸又は楕円等の形状に形成し、該領域５に電波時計用アンテナ６を設けることで、鏡２の表裏面２ａ，２ｂ側のいずれからも電波を受信できるようにしてある。鏡２は、ガラス板７の裏面に反射層４を設けたものが用いられる。
【００１４】
前記電波時計用アンテナ６は、鏡２と別体に形成して鏡２と合体させる場合と、鏡２と一体に形成する場合とがある。鏡２と別体に形成する場合には、鏡２の反射層４の無い領域５で電波時計用アンテナ６を合体させるものであり、例えば、図３（Ｂ）に示す如く、透明な合成樹脂シートやガラス板等からなる基板９にアンテナ６を設けたものを用い、ガラス板７の裏面にアンテナ付き基板９を貼着等して配置（同図（Ａ）参照）して行う。アンテナ６を設けるには、例えば、基板９に貼り合わせてある銅やアルミニウム等の金属箔の不要部をエッチング等で除去してアンテナ線のパターンを得るようにする。アンテナ線のパターンとしては、後述する横長ジクザク状や螺旋状等を選択できる。なお、反射層４の無い領域５は、粒子を吹き付けて反射層４を除去するブラスト加工等で得ることができる。
【００１５】
また、前記鏡２と一体に電波時計用アンテナ６を形成するには、更に、印刷する場合と  、反射層４の金属膜４ａを利用する場合とがある。印刷する場合には、前記反射層４の無い領域５のガラス板７の裏面に直接、導電性インクを用いてインクジエットプリントやスクリーン印刷等で連続線を印刷してアンテナ６のパターンを得る。反射層４の金属膜４ａを利用する場合には、図４に示す如く、反射層４が銀やアルミニウム等からなる金属膜４ａと保護層４ｂからなるため、この金属膜４ａの一部を線状にしてアンテナ６を形成する。アンテンナ６の形成は、鏡２のガラス板７の裏面にメッキや蒸着等で金属膜４ａを設けた後に、金属膜４ａの不要部をエッチング等で除去して線状のアンテンナ６のパターンを形成し、その後に、アンテナ６を除く領域に保護層４ｂを設けるようにして行われる。アンテンナ６は、錆発生の防止等のために透明樹脂等からなる透明保護膜（図示略）で被覆することもある。
【００１６】
前記電波時計用アンテナ６は、図２の拡大図（Ｂ）に示す如く、隙間Ｓを設けて平行に配置した複数本の平行線６ａと、隣接する平行線６ａ，６ａどうしを連結する連結線６ｂとからなり、複数本の平行線６ａを横長ジクザグ状に連続させてある。アンテナ６は、隣接する平行線６ａ，６ａの間隔Ａ及び線６ａの太さＢを細かくすることで（例えば、間隔Ａが３０〜８０μｍで、線太さＢが１０〜２０μｍ）、連続させた線６ａ，６ｂ，…の総長さ寸法を大きくして、長波領域の電波の受信に最適なものとすることが可能となる。例えば、長波周波数である４０ＫＨｚに対しては、アンテナ６の全長を７５０ｍ程度とすることができる。
【００１７】
前記鏡２の裏面２ｂ側に付設した電波時計３は、図２（Ａ）に示す如く、前記電波時計用アンテナ６と結線１０され、アンテナ６を介して標準時間信号の搬送電波を受信することができる。本例のように電波時計用アンテナ６を二箇所以上に設けたときには、各電波時計用アンテナ６を直列に結線１０して、電波時計用アンテナ６に接続する。
【００１８】
本実施の形態に係る本発明鏡１は、図１及び図２に示す如く、アンテナ６を設けた領域を有効活用するために、アンテナ６を設けた領域５の裏面側に電波時計３を配置し、鏡表側２ａから透明な複数の前記隙間Ｓ（図２（Ｂ），図３及び図４参照）を介して電波時計３の時刻表示部３ａを目視できるようにしてある。鏡の使用者は、鏡表側２ａからアンテナ６の複数の隙間Ｓを介して時刻表示部３ａを見ることができる。
【００１９】
更に、本実施の形態に係る本発明鏡１は、図１及び図２に示す如く、アンテナ６を設けた領域を有効活用するために、アンテナ６を設けた領域５の裏面側に表示具８を配置し、鏡表側２ａから透明な複数の前記隙間Ｓを介して表示具８の表示部８ａを目視できるようにしてある。鏡の使用者は、鏡表側２ａからアンテナ６の複数の隙間Ｓ（図３及び図４参照）を介して表示部８ａを見て、情報を得ることができる。表示具８には、温度計、湿度計又は天気情報等が得られるデイスプレー等がある。
【００２０】
本発明鏡１は、図１及び図２に示す如く、複数箇所に電波時計用アンテナ６を設ける以外に、一箇所に電波時計用アンテナ６を設ける場合もある。また、本発明鏡１は、図５に示す如く、鏡２の四周縁の全四辺又は任意辺に、前記構成からなる電波時計用アンテナ６を設け、アンテナ６を目立たないようにすることもある。
【図面の簡単な説明】
【００２１】
【図１】本発明鏡の実施の形態を示すものであり、（Ａ）は正面図、（Ｂ）は右側面図である。
【図２】同実施の形態を示すものであり、（Ａ）は一部破断した背面図、（Ｂ）はアンテナの部分拡大図である。
【図３】（Ａ）は図１のイーイ線で断面して拡大した右側面図、（Ｂ）はアンテナを配線した基板及び電波時計を鏡から分離した状態を示す拡大した右側面図である。
【図４】アンテナの別態様に係るものであって、図１のイーイ線で断面して拡大した右側面図である。
【図５】本発明鏡の実施の形態の別態様を示すものであり、図１（Ａ）は正面図、同図（Ｂ）は右側面図である。
【符号の説明】
【００２２】
１…本発明鏡、２…鏡、２ａ…鏡表面、２ｂ…鏡裏面、３…電波時計、３ａ…時刻表示部、４…反射層、４ａ…金属膜、４ｂ…保護層、５…保護層の無い領域、６…電波時計用アンテナ、６ａ…平行線、６ｂ…連結線
【図１】
2005300443.tif 000003
【図２】
2005300443.tif 000004
【図３】
2005300443.tif 000005
【図４】
2005300443.tif 000006
【図５】
2005300443.tif 000007